(57)【要約】  本出願はデータ伝送方法、装置及びシステムを提供する。ここで、該方法は、送信装置が第一の中継装置を介して受信装置へデータパケットを送信し、かつ所定条件で他の通信リンクを介して前記データパケット受信状況に対する前記受信装置のフィードバック情報を受信する。これにより、送信装置は所定条件で、他の通信リンクを介してデータパケット受信状況に対する取得装置のフィードバック情報を適時に取得することができる。
2019521540.tif 000002
【特許請求の範囲】
【請求項１】
データ伝送方法であって、
送信装置が第一の中継装置を介して受信装置へデータパケットを送信することと、
前記送信装置が所定条件で、他の通信リンクを介して前記データパケット受信状況に対する前記受信装置のフィードバック情報を受信することとを含む、データ伝送方法。
【請求項２】
前記所定条件は、
前記送信装置と前記第一の中継装置の間の中継リンクが故障すること、又は
前記送信装置と前記第一の中継装置の間の中継リンクが輻輳することを含むことを特徴とする
請求項１に記載の方法。
【請求項３】
前記送信装置は前記フィードバック情報に基づき、他の通信リンクを介して残りのデータパケットを前記受信装置に送信することをさらに含むことを特徴とする
請求項１又は２に記載の方法。
【請求項４】
前記送信装置が第一の中継装置を介して受信装置へデータパケットを送信することは、
前記第一の中継装置が前記送信装置から受信された受信データパケット識別子を、対応する前記受信装置に送信されるデータパケットに追加することを含むことを特徴とする
請求項１乃至３のいずれか一項に記載の方法。
【請求項５】
識別子を前記送信データパケットに追加することは、
受信データパケットのシーケンス番号（ＳＮ）を送信データパケットの識別子として再利用すること、又は、
送信データパケットに含まれる全ての受信データパケットのシーケンス番号（ＳＮ）を前記送信データパケットに追加することを含むことを特徴とする
請求項４に記載の方法。
【請求項６】
前記受信データパケットが前記送信データパケットと同じである場合、受信データパケットのシーケンス番号ＳＮを送信データパケットの識別子として再利用し、
前記第一の中継装置が前記受信データパケットに対して変更操作を再度行って前記送信データパケットを生成する場合、前記送信データに含まれる受信データパケットのシーケンス番号ＳＮを前記送信データパケットに追加することを特徴とする
請求項４又は５に記載の方法。
【請求項７】
他の通信リンクを介して前記データパケット受信状況に対する前記受信装置のフィードバック情報を受信することは、
前記送信装置が前記受信装置との直接リンクを介して前記データパケット受信状況に対する前記受信装置のフィードバック情報を受信すること、又は、
前記送信装置が第二の中継装置を介して前記データパケット受信状況に対する前記受信装置のフィードバック情報を受信することを含むことを特徴とする
請求項１乃至６のいずれか一項に記載の方法。
【請求項８】
前記フィードバック情報は、
受信装置によって完全に受信された全てのデータパケットの送信装置から第一の中継装置までのリンク上のシーケンス番号（ＳＮ）を少なくとも含み、又は
受信装置によって完全に受信された全てのデータパケットの送信装置から第一の中継装置までのリンク上の連続シーケンス番号の最大値を少なくとも含むことを特徴とする
請求項１乃至７に記載の方法。
【請求項９】
前記データパケット受信状況に対する前記受信装置のフィードバック情報は、
前記データパケット受信状況に対する前記受信装置のフィードバック情報が、前記送信装置から送信された問い合わせリクエストに応じて前記受信装置によって前記送信装置にフィードバックされること、又は、
前記データパケット受信状況に対する前記受信装置のフィードバック情報が、所定周期に従って前記受信装置によって前記送信装置に周期的にフィードバックされること、又は、
前記データパケット受信状況に対する前記受信装置のフィードバック情報が、所定状況に応じて前記受信装置によって前記送信装置に能動的にフィードバックされることを含むことを特徴とする
請求項１乃至８のいずれか一項に記載の方法。
【請求項１０】
前記データパケット受信状況に対する前記受信装置のフィードバック情報は、ＲＲＣシグナリングに搬送され、その中、前記フィードバック情報が論理チャネルとデータ受信状況を含み、又は、
前記データパケット受信状況に対する前記受信装置のフィードバック情報は、対応する論理チャネルデータのＭＡＣ  ＣＥに搬送され、又は、
前記データパケット受信状況に対する前記受信装置のフィードバック情報は、対応する論理チャネルデータのＲＬＣ制御シーケンスに搬送され、又は、
前記データパケット受信状況に対する前記受信装置のフィードバック情報は、対応する論理チャネルデータのＰＤＣＰ  ＳＮ状態関連情報に搬送されることを特徴とする
請求項１乃至９のいずれか一項に記載の方法。
【請求項１１】
前記データパケット受信状況に対する前記受信装置のフィードバック情報はＭＡＣ／ＲＬＣ／ＰＤＣＰに搬送されると、対応する層の制御ドメインにおいて対応する伝送経路を示すことを特徴とする
請求項１乃至１０のいずれか一項に記載の方法。
【請求項１２】
他の通信リンクを介して残りのデータパケットを前記受信装置に送信することは、
前記送信装置が前記受信装置との直接接続リンクを介して残りのデータパケットを前記受信装置に送信すること、又は、
前記送信装置が第二の中継装置を介して残りのデータパケットを前記受信側装置に送信することを含むことを特徴とする
請求項３乃至１１のいずれか一項に記載の方法。
【請求項１３】
前記送信装置は前記送信データパケット受信状況に対する前記受信装置のフィードバック情報に基づき、対応するデータパケット識別子に対応する次のデータパケットに基づいて次回の送信を行うことを特徴とする
請求項１乃至１２のいずれか一項に記載の方法。
【請求項１４】
データ伝送方法であって、
受信装置が第一の中継装置を介して送信装置から送信されたデータパケットを受信することと、
前記受信装置が所定条件で、他の通信リンクを介して前記送信装置へ前記データパケット受信状況に対するフィードバック情報を送信することとを含む、データ伝送方法。
【請求項１５】
前記受信装置が他の通信リンクを介して前記送信装置から送信された残りのデータパケットを受信することをさらに含むことを特徴とする
請求項１４に記載の方法。
【請求項１６】
前記受信装置が所定条件で、他の通信リンクを介して前記送信装置へ前記データパケット受信状況に対するフィードバック情報を送信することは、
前記受信装置が前記送信装置から送信された問い合わせリクエストに応じて、他の通信リンクを介して前記送信装置へ前記データパケット受信状況に対するフィードバック情報を送信すること、又は、
前記受信装置が所定周期に従って、他の通信リンクを介して前記送信装置へ前記データパケット受信状況に対するフィードバック情報を周期的に送信すること、又は、
前記受信装置が所定状況に応じて、能動的に他の通信リンクを介して前記送信装置へ前記データパケット受信状況に対するフィードバック情報を周期的に送信することを含むことを特徴とする
請求項１４又は１５に記載の方法。
【請求項１７】
他の通信リンクを介して前記送信装置へ前記データパケット受信状況に対するフィードバック情報を送信することは、
前記受信装置が前記送信装置との直接接続リンクを介して前記送信装置へ前記データパケット受信状況に対するフィードバック情報を送信すること、又は、
前記受信装置が第二の中継装置を介して前記送信装置へ前記データパケット受信状況に対するフィードバック情報を送信することを含むことを特徴とする
請求項１４乃至１６のいずれか一項に記載の方法。
【請求項１８】
前記受信装置が他の通信リンクを介して前記送信装置から送信された残りのデータパケットを受信することは、
前記受信装置が前記送信装置との直接接続リンクを介して前記送信装置から送信された残りのデータパケットを受信すること、又は、
前記受信装置が第二の中継装置を介して前記送信装置から送信された残りのデータパケットを受信することを含むことを特徴とする
請求項１５乃至１７のいずれか一項に記載の方法。
【請求項１９】
送信装置であって、
第一の中継装置を介して受信装置へデータパケットを送信するように構成される第一の送信モジュールと、
所定条件で、他の通信リンクを介して前記データパケット受信状況に対する前記受信装置のフィードバック情報を受信するように構成される第一の受信モジュールとを備える、送信装置。
【請求項２０】
前記所定条件は
前記送信装置と前記第一の中継装置の間の中継リンクが故障すること、
前記送信装置と前記第一の中継装置の間の中継リンクが輻輳することを含むことを特徴とする
請求項１９に記載の装置。
【請求項２１】
前記第一の送信モジュールはさらに、
前記フィードバック情報に基づき、他の通信リンクを介して残りのデータパケットを前記受信装置に送信するように構成されることを特徴とする
請求項１９又は２０に記載の装置。
【請求項２２】
前記第一の中継装置は前記送信装置から受信された受信データパケット識別子を、対応する前記受信装置に送信される送信データパケットに追加することを特徴とする
請求項１９乃至２１のいずれか一項に記載の装置。
【請求項２３】
識別子を前記送信データパケットに追加することは、
受信データパケットのシーケンス番号（ＳＮ）を送信データパケットの識別子として再利用すること、又は、
送信データパケットに含まれる全ての受信データパケットのシーケンス番号（ＳＮ）を前記送信データパケットに追加することを含むことを特徴とする
請求項２２に記載の装置。
【請求項２４】
前記受信データパケットが前記送信データパケットと同じである場合、受信データパケットのシーケンス番号（ＳＮ）を送信データパケットの識別子として再利用し、
前記第一の中継装置が前記受信データパケットに対して変更操作を再度行って前記送信データパケットを生成する場合、前記送信データに含まれる全ての受信データパケットのシーケンス番号（ＳＮ）を前記送信データパケットに追加することを特徴とする
請求項２２又は２３に記載の装置。
【請求項２５】
前記第一の受信モジュールは、
前記受信装置との直接接続リンクを介して前記データパケット受信状況に対する前記受信装置のフィードバック情報を受信するように構成され、又は、
第二の中継装置を介して前記データパケット受信状況に対する前記受信装置のフィードバック情報を受信するように構成されることを特徴とする
請求項１９乃至２４のいずれか一項に記載の装置。
【請求項２６】
前記フィードバック情報は受信装置によって完全に受信された全てのデータパケットの送信装置から第一の中継装置までのリンク上のシーケンス番号（ＳＮ）を少なくとも含み、又は
前記フィードバック情報は受信装置によって完全に受信された全てのデータパケットの送信装置から第一の中継装置までのリンク上の連続シーケンス番号の最大値を少なくとも含むことを特徴とする
請求項１９乃至２５のいずれか一項に記載の装置。
【請求項２７】
前記データパケット受信状況に対する前記受信装置のフィードバック情報は
前記データパケット受信状況に対する前記受信装置のフィードバック情報が、前記送信装置から送信された問い合わせリクエストに応じて前記受信装置によって前記送信装置にフィードバックされること、又は、
前記データパケット受信状況に対する前記受信装置のフィードバック情報が、所定周期で前記受信装置によって前記送信装置に周期的にフィードバックされること、又は、
前記データパケット受信状況に対する前記受信装置のフィードバック情報が、所定状況に応じて前記受信装置によって前記送信装置に能動的にフィードバックされることを含むことを特徴とする
請求項１９乃至２６のいずれか一項に記載の装置。
【請求項２８】
前記データパケット受信状況に対する前記受信装置のフィードバック情報は、ＲＲＣシグナリングに搬送され、その中、前記フィードバック情報が論理チャネルとデータ受信状況を含み、又は、
前記データパケット受信状況に対する前記受信装置のフィードバック情報は、対応する論理チャネルデータのＭＡＣ  ＣＥに搬送され、又は、
前記データパケット受信状況に対する前記受信装置のフィードバック情報は、対応する論理チャネルデータのＲＬＣ制御シーケンスに搬送され、又は、
前記データパケット受信状況に対する前記受信装置のフィードバック情報は、対応する論理チャネルデータのＰＤＣＰ  ＳＮ状態関連情報に搬送されることを特徴とする
請求項１９乃至２７のいずれか一項に記載の装置。
【請求項２９】
前記データパケット受信状況に対する前記受信装置のフィードバック情報はＭＡＣ／ＲＬＣ／ＰＤＣＰに搬送されると、対応する層の制御ドメインにおいて対応する伝送経路を示すことを特徴とする
請求項１９乃至２８のいずれか一項に記載の装置。
【請求項３０】
前記第一の送信モジュールは、
前記受信装置との直接接続リンクを介して残りのデータパケットを前記受信側装置に送信するように構成され、又は、
第二の中継装置を介して残りのデータパケットを前記受信側装置に送信するように構成されることを特徴とする
請求項２１乃至２９のいずれか一項に記載の装置。
【請求項３１】
前記第一の送信モジュールは
前記送信データパケット受信状況に対する前記受信装置のフィードバック情報に基づき、対応するデータパケット識別子に対応する次のデータパケットに基づいて次回の送信を行うように構成されることを特徴とする
請求項１９乃至３０のいずれか一項に記載の装置。
【請求項３２】
受信装置であって、
第一の中継装置を介して送信装置から送信されたデータパケットを受信するように構成される第二の受信モジュールと、
所定状況で、他の通信リンクを介して前記送信装置へ前記データパケット受信状況に対するフィードバック情報を送信するように構成される第二の送信モジュールとを備える、受信装置。
【請求項３３】
前記第二の受信モジュールはさらに、
他の通信リンクを介して前記送信装置から送信された残りのデータパケットを受信するように構成されることを特徴とする
請求項３２に記載の装置。
【請求項３４】
前記第二の送信モジュールは、
前記送信装置から送信された問い合わせリクエストに応じて、他の通信リンクを介して前記送信装置へ前記データパケット受信状況に対するフィードバック情報を送信するように構成され、又は、
所定周期に従って、他の通信リンクを介して前記送信装置へ前記データパケット受信状況に対するフィードバック情報を周期的に送信するように構成され、又は、
所定状況に従って、能動的に他の通信リンクを介して前記送信装置へ前記データパケット受信状況に対するフィードバック情報を送信するように構成されることを特徴とする
請求項３２又は３３に記載の装置。
【請求項３５】
前記第二の送信モジュールは、
前記送信装置との直接リンクを介して前記送信装置へ前記データパケット受信状況に対するフィードバック情報を送信するように構成され、又は、
第二の中継装置を介して前記送信装置へ前記データパケット受信状況に対するフィードバック情報を送信するように構成されることを特徴とする
請求項３２乃至３４のいずれか一項に記載の装置。
【請求項３６】
前記第二の受信モジュールは、
前記送信装置との直接リンクを介して前記送信装置から送信された残りのデータパケットを受信するように構成され、又は、
第二の中継装置を介して前記送信装置から送信された残りのデータパケットを受信するように構成されることを特徴とする
請求項３２乃至３５のいずれか一項に記載の装置。
【請求項３７】
データ伝送システムであって、
請求項１９乃至３１のいずれか一項に記載の送信装置、請求項３２−３６のいずれか一項に記載の受信装置、及び前記送信装置から前記受信装置へデータパケットを送信するための第一の中継装置とを備える、前記データ伝送システム。
【請求項３８】
前記送信装置から前記受信装置へデータパケットを送信するための第二の中継装置をさらに備えることを特徴とする
請求項３７に記載のシステム。
【発明の詳細な説明】
【技術分野】
【０００１】
本出願は通信技術分野に関し、特にデータ伝送方法、装置及びシステムに関する。
【背景技術】
【０００２】
従来のＬＴＥシステムにおいて、基本的な通信方式は、従来のセルラネットワークに基づく通信方式であり、具体的な形態が、通信が必要な場合に端末が基地局と接続を確立し、データを基地局に送信する必要があり、その後、基地局がコアネットワークを介してターゲット端末又はサーバとインタラクションを行い、ソース端末がデータを基地局及びコアネットワークを介してターゲット端末又はサーバに送信することである。
【０００３】
ＬＴＥ  Ｒ１２バージョンでは、端末直接接続技術が導入され、即ち端末は基地局によって割り当てられたリソースを利用し、直接通信することができ、Ｒ１３バージョンでは、端末直接接続技術に基づく端末中継技術が端末直接接続通信に基づいて導入され、即ち端末は直接接続インタフェース（ＳＬ：Ｓｉｄｅｌｉｎｋ）と一般的な端末と基地局の間のインタフェース（Ｕｕ：ＤＬ及びＵＬを含む）とを介してデータを端末中継により基地局ノードに伝送することができる。
【０００４】
将来の無線通信システムには、従来のハンドヘルド端末に加えて、スマートブレスレット、無線ＴＶ、スマートグラス、ロボット、時計などを含む様々なタイプの端末がますます登場する。このようなインテリジェント端末が携帯電話などの無線中継装置を介してネットワークに接続される時に、現行のような端末直接接続技術と端末中継技術を採用することができる。
【０００５】
しかしながら、一般的な端末は無線中継装置、特に一般的な端末による無線中継装置を選択する時に、移動性、電気量、ユーザ選択などの要因で、アクセスリンクとバックホールリンクがいずれもリンクが失敗する可能性がある。
【０００６】
従来の直接接続端末を中継装置とする方法では、無線リンクの信号品質を中継装置が中継能力を備える条件として用い、例えば中継装置のバックホールリンクの信号品質がある閾値（Ｔ１）より高い場合、中継能力を備え、他のノードのための中継を行うことができ、中継装置のバックホールリンクの信号品質がある閾値（Ｔ２）より低い場合、他の端末のための中継を停止する必要があることが規定される。また、基地局が、該中継装置が中継装置として適切ではないと判定した場合、シグナリングを解放するこれにより、該中継装置によるデータ中継を停止し、この時に中継装置は対応するシグナリングにより一般的な端末に通知する。
【０００７】
また、従来の直接接続端末中継装置は、Ｎｏｔ  Ａｌｌｏｗｅｄ又はＮｏｔ  Ａｖｉｌａｂｌｅのような上位層シグナリングにより、中継が許可されず、又は端末ノードのデータの送信又は受信を支援できないことを示すことができる。
【０００８】
しかしながら、中継関連リンクに問題が発生した場合、現在のフィードバック方式は依然としてホップバイホップによってフィードバックすることであり、例えばアップリンクの場合、基地局によって中継装置にフィードバックし、中継装置によって端末にフィードバックし、ダウンリンクの場合、端末によって中継装置にフィードバックし、中継装置によって基地局にフィードバックする。この場合、中継データ送信の実際状況をリアルタイムに把握する必要がある。例えばアップリンクにおいて、多くのデータが中継装置に到達したが、端末にまだ送信されずに、バックホールリンクに問題が発生し、この場合、中継装置は、残りのデータを端末に成功に送信することができるとしても、中継装置がこれらのデータパケットが成功に送信されたか否かを基地局に確認できないため、それを廃棄するしかなく、アップリンクにおいて、同様の状況の場合、多くの端末データが中継装置に到達したが、基地局にまだ送信されずに、アクセスリンクに問題が発生し、この場合、中継装置が残りのデータを基地局に成功に送信することができるとしても、中継装置がこれらのデータパケットが成功に送信されたか否かを端末に確認できないため、それを廃棄するしかなかった。
【発明の概要】
【発明が解決しようとする課題】
【０００９】
本出願は関連技術の技術的問題の一つを少なくともある程度解決することを目的とする。
【課題を解決するための手段】
【００１０】
そのため、本出願の第一の目的はデータ伝送方法を提供することにあり、該方法により、送信装置が所定条件で、他の通信リンクを介してデータパケット受信状況に対する受信装置のフィードバック情報を取得することができる。
【００１１】
本出願の第二の目的はデータ伝送方法を提供することにある。
【００１２】
本出願の第三の目的は送信装置を提供することにある。
【００１３】
本出願の第四の目的は受信装置を提供することにある。
【００１４】
本出願の第五の目的はデータ伝送システムを提供することにある。
【００１５】
上記目的を達成するために、本出願の第一の態様の実施形態によるデータ伝送方法は、送信装置が第一の中継装置を介して受信装置へデータパケットを送信することと、前記送信装置が所定条件で、他の通信リンクを介して前記データパケット受信状況に対する前記受信装置のフィードバック情報を受信することとを含む。
【００１６】
本実施例によるデータ伝送方法では、送信装置は、第一の中継装置を介して受信装置へデータパケットを送信し、所定条件で、他の通信リンクを介して前記データパケット受信状況に対する前記受信装置のフィードバック情報を受信する。これにより、送信装置は所定条件で、他の通信リンクを介してデータパケット受信状況に対する受信装置のフィードバック情報を適時に取得することができる。
【００１７】
上記目的を達成するために、本出願の第二の態様の実施例によるデータ伝送方法は、受信装置が第一の中継端末を介して送信装置から送信されたデータパケットを受信することと、前記受信装置が所定条件で、他の通信リンクを介して前記送信装置へ前記データパケット受信状況に対するフィードバック情報を送信することとを含む。
【００１８】
本実施例によるデータ伝送方法では、受信装置は第一の中継装置を介して送信装置から送信されたデータパケットを受信し、且つ所定条件で、他の通信リンクを介して前記送信装置へ前記データパケット受信状況に対するフィードバック情報を送信する。これにより、受信装置は所定条件で、他の通信リンクを介して送信装置へデータパケット受信状況を適時にフィードバックすることができる。
【００１９】
上記目的を達成するために、本出願の第三の態様の実施例による送信装置は、第一の中継装置を介して受信装置へデータパケットを送信するように構成される第一の送信モジュールと、所定条件で、他の通信リンクを介して前記データパケット受信状況に対する前記受信装置のフィードバック情報を受信するように構成される第一の受信モジュールとを備える。
【００２０】
本実施例によるデータ送信装置では、第一の中継装置を介して受信装置へデータパケットを送信し、所定条件で、他の通信リンクを介して前記データパケット受信状況に対する前記受信装置のフィードバック情報を受信する。これにより、送信装置は所定条件で、他の通信リンクを介してデータパケット受信状況に対する受信装置のフィードバック情報を適時に取得することができる。
【００２１】
上記目的を達成するために、本出願の第四の態様の実施例による受信装置は、第一の中継端末を介して送信装置から送信されたデータパケットを受信するように構成される第二の受信モジュールと、所定条件で、他の通信リンクを介して前記送信装置へ前記データパケット受信状況に対するフィードバック情報を送信するように構成される第二の送信モジュールとを備える。
【００２２】
本実施例による受信装置では、第一の中継装置を介して送信装置から送信されたデータパケットを受信し、且つ所定条件で、他の通信リンクを介して前記送信装置へ前記データパケット受信状況に対するフィードバック情報を送信する。これにより、受信装置は所定条件で、他の通信リンクを介して送信装置へデータパケット受信状況を適時にフィードバックすることができる。
【００２３】
上記目的を達成するために、本出願の第五の態様の実施例によるデータ伝送システムは、上記送信装置、上記受信装置、及び前記送信装置から前記受信装置へデータパケットを送信するための第一の中継装置を備える。
【００２４】
本出願の実施例によるデータ伝送システムでは、送信装置は第一の中継装置を介して受信装置へデータパケットを送信し、所定条件で、他の通信リンクを介して前記データパケット受信状況に対する前記受信装置のフィードバック情報を受信する。これにより、送信装置は、所定条件で、他の通信リンクを介してデータパケット受信状況に対する受信装置のフィードバック情報を取得することができる。
【図面の簡単な説明】
【００２５】
【図１】本出願の一つの実施例によるデータ伝送方法のフローチャートである。
【図２】本出願の他の実施例によるデータ伝送方法のフローチャートである。
【図３】第一の中継装置のデータパケット受信及び送信を示す第１の図である。
【図４】第一の中継装置のデータパケット受信及び送信を示す第２の図である。
【図５】第一の中継装置のデータパケット受信及び送信を示す第３の図である。
【図６】基地局と端末が前記第一の中継装置を介して通信インタラクションを行うことを示す第１の図である。
【図７】基地局と端末が前記第一の中継装置を介して通信インタラクションを行うことを示す第２の図である。
【図８】本出願の他の実施例によるデータ伝送方法のフローチャートである。
【図９】本出願の一つの実施例による送信装置の構造ブロック図である。
【図１０】本出願の一つの実施例による受信装置の構造ブロック図である。
【図１１】本出願の一つの実施例によるデータ伝送システムの構造ブロック図である。
【図１２】本出願の他の実施例によるデータ伝送システムの構造ブロック図である。
【発明を実施するための形態】
【００２６】
以下に本出願の実施例を詳細に説明し、前記実施例が図面に示され、本明細書を通して同じ又は類似の記号が同じ又は類似の素子又は同じ又は類似の機能を有する素子を表す。以下に図面を参照して説明される実施例は例示的なものであり、本出願を解釈することを意図しており、本出願を制限するためのものとして理解されるべきではない。
【００２７】
以下に図面を参照して本出願の実施例によるデータ伝送方法、装置及びシステムを説明する。
【００２８】
図１は本出願の一つの実施例によるデータ伝送方法のフローチャートである。
【００２９】
図１を参照すると、該データ伝送方法は以下のステップを含む。
【００３０】
ステップ１０１で、送信装置は第一の中継装置を介して受信装置へデータパケットを送信する。
【００３１】
ステップ１０２で、前記送信装置は所定条件で、他の通信リンクを介して前記データパケット受信状況に対する前記受信装置のフィードバック情報を受信する。
【００３２】
具体的には、送信装置が第一の中継装置を介して受信装置へデータパケットを送信するプロセスでは、伝送プロセスが所定条件を満たすか否かを検出する。所定条件を満たす場合、送信装置は他の通信リンクを介して上記データパケット受信状況に対する受信装置のフィードバック情報を取得する。
【００３３】
説明すべきものとして、実際の応用ニーズに応じて、前記送信装置と前記第一の中継装置の間の中継リンクが故障し、又は前記送信装置と前記第一の中継装置の間の中継リンクが輻輳するような異なる条件を設定することができる。以下に例を挙げて説明する。
【００３４】
所定条件は送信装置と第一の中継装置の間の中継リンクが故障することを含むと仮定する。即ち、送信装置と第一の中継装置の間の中継リンクが故障することを検出した場合、送信装置が第一の中継装置を介して受信装置へデータを伝送することができないことを確定する。
【００３５】
さらに、送信装置は他の通信リンクを介して上記データパケット受信状況に対する該受信装置のフィードバック情報を受信する。
【００３６】
注意すべきものとして、以上の所定条件は例示的なものに過ぎず、送信装置が他の通信リンクを介してデータパケット受信状況に対する受信装置のフィードバック情報を適時に取得するように、実際の応用ニーズに応じて他の条件を設定することができる。
【００３７】
説明すべきものとして、送信装置は具体的な応用シーンに応じて異なる他の通信リンクを介して上記データパケット受信状況に対する該受信装置のフィードバック情報を受信することができる。以下に例を挙げて説明する。
【００３８】
一つの例として送信装置は受信装置との直接接続リンクを介してデータパケット受信状況に対する該受信装置のフィードバック情報を受信し、又は、
他の例として、送信装置は第二の中継装置を介してデータパケット受信状況に対する該受信装置のフィードバック情報を受信する。
【００３９】
本実施例によるデータ伝送方法では、送信装置は第一の中継装置を介して受信装置へデータパケットを送信し、所定条件で、他の通信リンクを介して前記データパケット受信状況に対する前記受信装置のフィードバック情報を受信する。送信装置は所定条件で、データパケット受信状況に対する受信装置のフィードバック情報を適時に取得することができ、それによってフィードバック情報に基づいて対応するサービスの操作処理を行う。
【００４０】
さらに、上記実施例に基づき、受信装置は応用シーンに応じて様々なトリガ方式によってデータパケット受信状況のフィードバック情報を送信装置に送信することができる。以下に例を挙げて説明する。
【００４１】
一つの例として、データパケット受信状況に対する受信装置のフィードバック情報は、前記送信装置から送信された問い合わせリクエストに応じて前記受信装置によって送信装置にフィードバックされ、又は、
他の例として、前記データパケット受信状況に対する受信装置のフィードバック情報は、所定周期に従って前記受信装置によって前記送信装置に周期的にフィードバックされ、又は、
他の例として、前記データパケット受信状況に対する受信装置のフィードバック情報は、前記受信装置によって所定状況に応じて前記送信装置に能動的にフィードバックされる。
【００４２】
さらに、受信装置から送信装置へ送信される、前記データパケット受信状況に対するフィードバック情報は、応用ニーズに応じて様々なシグナリングに搬送されて送信されてもよい。以下に例を挙げて説明する。
【００４３】
一つの例として、前記データパケット受信状況に対する受信装置のフィードバック情報はＲＲＣシグナリンクに搬送され、前記フィードバックは論理チャネルとデータ受信状況を含み、又は、
他の例として、前記データパケット受信状況に対する受信装置のフィードバック情報は、対応する論理チャネルデータのＭＡＣ  ＣＥに搬送され、又は、
他のとして、前記データパケット受信状況に対する受信装置のフィードバック情報は、対応する論理チャネルデータのＲＬＣ制御シーケンスに搬送され、又は、
他の例として、前記データパケット受信状況に対する受信装置のフィードバック情報は、対応する論理チャネルデータのＰＤＣＰ  ＳＮ状態の関連情報に搬送される。さらに、
前記データパケット受信状況に対する受信装置のフィードバック情報はＭＡＣ／ＲＬＣ／ＰＤＣＰに搬送されると、対応する層の制御ドメインにおいて対応する伝送経路を示す。
【００４４】
上記実施例に基づき、本実施例によるデータ伝送方法はさらに以下のステップを含む。
【００４５】
送信装置は前記データパケット受信状況に対する受信装置のフィードバック情報に基づき、他の通信リンクを介して残りのデータパケットを前記受信装置に送信する。
【００４６】
具体的には、送信装置は、前記データパケット受信状況に対する受信装置のフィードバック情報に基づき、受信装置によって現在成功裏に受信されたデータパケット状況を知ることができ、さらに、送信装置は、送信すべき残りのデータパケットを確定し、且つ他の通信リンクを介して残りのデータパケットを受信装置に送信する。
【００４７】
説明すべきものとして、送信装置は具体的な応用シーンに応じて異なる他の通信リンクを介して残りのデータパケットを受信装置に送信することができる。以下に例を挙げて説明する。
【００４８】
一つの例として、送信装置は前記受信装置との直接接続リンクを介して残りのデータパケットを前記受信側装置に送信し、又は、
他の例として、送信装置は第二の中継装置を介して残りのデータパケットを前記受信側装置に送信する。
【００４９】
本実施例によるデータ伝送方法では、送信装置は第一の中継装置を介して受信装置へデータパケットを送信し、所定条件で、他の通信リンクを介して前記データパケット受信状況に対する前記受信装置のフィードバック情報を受信し、且つフィードバック情報に基づいて他の通信リンクを介して残りのデータパケットを受信装置に送信する。送信装置は、所定条件で、データパケット受信状況に対する受信装置のフィードバック情報を適時に取得することができ、それによってフィードバック情報に基づいて残りのデータパケットの伝送処理を行い、データ伝送効率を向上させ、リソース浪費を回避する。
【００５０】
図２は本出願の他の実施例によるデータ伝送方法のフローチャートである。
【００５１】
図２を参照すると、図１に示す実施例におけるステップ１０１に対して以下のステップを含む。
【００５２】
ステップ２０１で、送信装置は第一の中継装置を介して受信装置へデータパケットを送信する。
【００５３】
ステップ２０２で、前記第一の中継装置は前記送信装置から受信された受信データパケット識別子を、対応する前記受信装置に送信される送信データパケットに追加する。
【００５４】
具体的には、送信装置が第一の中継装置を介して受信装置へデータパケットを送信するプロセスでは、第一の中継装置は送信装置から受信された受信データパケット識別子を、対応する受信装置に送信される送信データパケットに追加する。ここで、識別子を前記送信データパケットに追加する方式が多く、例を挙げて説明する。
【００５５】
一つの例として、受信データパケットのシーケンス番号（ＳＮ）を送信データパケットの識別子として再利用し、又は、
他の例として、送信データパケットに含まれる全ての受信データパケットのＳＮを送信データパケットに追加する。
【００５６】
具体的には、第一の中継装置は、受信データパケットと送信データパケットの内容に対して、適切な方式で送信データパケットに識別子を追加する。以下に例を挙げて説明する。
【００５７】
一つの例として、第一の中継装置によって送信装置から取得された受信データパケットが受信装置に送信される送信データパケットと同じである場合、受信データパケットの識別子を送信データパケットの識別子として再利用してもよいし、新しい識別子を使用してマーキングしてもよく、例を挙げて説明する。図３を参照し、第一の中継装置は送信装置から受信データパケット１、受信データパケット２、受信データパケット３を取得し、受信データパケット、即ち送信データパケット１、送信データパケット２、送信データパケット３の識別子を送信データパケットの識別子として再利用する。また、新しい識別子を使用し、送信側で送信パケット、即ちデータパケット４、データパケット５とデータパケット６（示されない）を識別することができる。
【００５８】
他の例として、第一の中継装置が受信データパケットに対してカスケード、分割などの変更操作を改めて行って前記送信データパケットを生成する場合、前記送信データに含まれる全ての受信データパケットの識別子を前記送信データパケットに追加する。例を挙げて説明し、図４を参照し、データパケットを分割する時に、データパケット２が分割される場合、送信側で新しいデータパケット識別子を使用してマーキングし、例えば識別子５を使用して受信データパケット１をマーキングし、識別子６を使用して受信データパケット２の第一の部分をマーキングし、識別子７を使用して受信データパケットの第二の部分をマーキングし、識別子８を使用して受信データパケット３をマーキングする。
【００５９】
図５を参照すると、データパケットをカスケードする際に、データパケット１とデータパケットがカスケードされる場合、新しいデータ識別子を使用してマーキングし、例えば識別子７を使用してデータパケット１とデータパケット２のカスケードパケットをマーキングし、識別子８を使用してデータパケット３をマーキングする。
【００６０】
説明すべきものとして、上記はどのように送信データパケットに識別子を挿入するかを説明する一つの例に過ぎず、必要に応じて他の適切な方式を採用することができる。
【００６１】
ステップ２０３で、前記送信装置は所定条件で、他の通信リンクを介して前記送信データパケット受信状況に対する前記受信装置のフィードバック情報を受信する。
【００６２】
具体的には、所定条件を満たし、例えば送信装置と第一の中継装置の間に故障が発生する場合、送信装置は他の通信リンクを介して第一の中継装置から送信された送信データパケット受信状況の受信装置のフィードバック情報を取得する。
【００６３】
ステップ２０４で、前記送信装置は前記データパケット受信状況に対する前記受信装置のフィードバック情報を受信し、対応するデータパケット識別子に対応する次のデータパケットに基づいて次回の送信を行う。
【００６４】
本実施例によるデータ伝送方法では、送信装置は第一の中継装置を介して受信装置へデータパケットを送信し、第一の中継装置は前記送信装置から受信された受信データパケット識別子を、対応する前記受信装置に送信される送信データパケットに追加し、送信装置は所定条件で、他の通信リンクを介して前記送信データパケット受信状況に対する前記受信装置のフィードバック情報を受信し、且つフィードバック情報に基づいて対応するデータパケット識別子に対応する次のデータパケットに基づいて次回の送信を行う。これにより、送信装置は所定条件で、データパケット受信状況に対する受信装置のフィードバック情報を適時に取得することができ、それによってフィードバック情報に基づいて残りのデータパケットの伝送処理を行い、データ伝送効率を向上させ、リソース浪費を回避する。
【００６５】
上記データ伝送プロセスをより明確に説明するために、図６及び図７を参照し、基地局と端末が前記第一の中継端末を介して通信インタラクションを行うことを例を挙げて説明する。
【００６６】
図６を参照すると、前記基地局と前記第一の中継装置の間のバックホールリンクが故障した場合、
ダウリンクデータ伝送を行う時に、前記端末によって前記基地局へデータ受信状況をフィードバックし、
アップリンクデータ伝送を行う時に、前記基地局又は前記第一の中継装置によって前記端末へデータ受信状況をフィードバックし、
又は、
図７を参照すると、前記端末と前記第一の中継装置の間のアクセスリンクが故障した場合、
ダウンリンクデータ伝送を行う時に、前記端末又は前記第一の中継装置によって前記基地局へデータ受信状況をフィードバックし、
アップリンクデータ伝送を行う時に、送信装置が端末であり、受信装置が基地局であり、前記基地局によって前記端末へデータ受信状況をフィードバックする。
【００６７】
図８は本出願の他の実施例によるデータ伝送方法のフローチャートである。
【００６８】
図８を参照すると、該データ伝送方法は以下のステップを含む。
【００６９】
ステップ３０１で、受信装置は第一の中継装置を介して送信装置から送信されたデータパケットを受信し、
ステップ３０２で、前記受信装置は所定条件で、他の通信リンクを介して前記送信装置へ前記データパケット受信状況に対するフィードバック情報を送信する。
【００７０】
具体的には、受信装置は様々な方式によって送信装置へ前記データパケット受信状況のフィードバック情報を送信することができ、例を挙げて説明する。
【００７１】
一つの例として、前記受信装置は前記送信装置から送信された問い合わせリクエストに応じて、他の通信リンクを介して前記送信装置へ前記データパケット受信状況に対するフィードバック情報を送信し、又は、
一つの例として、前記受信装置は所定周期に従って、他の通信リンクを介して前記送信装置へ前記データパケット受信状況に対するフィードバック情報を周期的に送信し、又は、
一つの例として、前記受信装置は所定状況に応じて、能動的に他の通信リンクを介して前記送信装置へ前記データパケット受信状況に対するフィードバック情報を周期的に送信する。
【００７２】
ここで、前記受信装置が他の通信リンクを介して前記送信装置へ前記データパケット受信状況に対するフィードバック情報を送信することは、
一つの例として、前記受信装置が前記送信装置との直接接続リンクを介して前記送信装置へ前記データパケット受信状況に対するフィードバック情報を送信すること、又は、
一つの例として、前記受信装置が第二の中継装置を介して前記送信装置へ前記データパケット受信状況に対するフィードバック情報を送信することを含むことができる。
【００７３】
さらに、図８に示す実施例に基づき、該データ伝送方法はさらに、
受信装置が他の通信リンクを介して前記送信装置から送信された残りのデータパケットを受信することを含む。
【００７４】
ここで、受信装置が他の通信リンクを介して前記送信装置へ前記データパケット受信状況に対するフィードバック情報を送信することは、
一つの例として、前記受信装置が前記送信装置との直接接続リンクを介して前記送信装置へ前記データパケット受信状況に対するフィードバック情報を送信すること、又は、
一つの例として、前記受信装置が第二の中継装置を介して前記送信装置へ前記データパケット受信状況に対するフィードバック情報を送信することを含むことができる。
【００７５】
上記実施例は受信装置側の実施プロセスであり、送信側と相手側インタラクションであり、その具体的な実施プロセスは送信側と同様であるので、その技術原理と技術効果について上記実施プロセスを参照し、ここでは説明を省略する。
【００７６】
上記実施例を実現するために、本出願はさらに送信装置を提供する。
【００７７】
図９は本出願の一つの実施例による送信装置の構造ブロック図である。
【００７８】
図９に示すように、該送信装置は、
第一の中継装置を介して受信装置へデータパケットを送信するように構成される第一の送信モジュール１１と、
所定条件で、他の通信リンクを介して前記データパケット受信状況に対する前記受信装置のフィードバック情報を受信するように構成される第一の受信モジュール１２とを備える。
【００７９】
ここで、前記所定条件は、
一つの例として、前記送信装置と前記第一の中継装置の間の中継リンクが故障すること、又は
一つの例として、前記送信装置と前記第一の中継装置の間の中継リンクが輻輳することを含む。
【００８０】
他の例として、前記第一の送信モジュール１１はさらに、
前記フィードバック情報に基づき、他の通信リンクを介して残りのデータパケットを前記受信装置に送信するように構成される。
【００８１】
さらに、他の例では、
前記第一の中継装置は前記送信装置から受信された受信データパケット識別子を、対応する前記受信装置に送信される送信データパケットに追加する。
【００８２】
ここで、識別子を前記送信データパケットに追加することは、
一つの例として、受信データパケットのシーケンス番号（ＳＮ）を送信データパケットの識別子として再利用すること、又は、
他の例として、送信データパケットに含まれる全ての受信データパケットのシーケンス番号（ＳＮ）を送信データパケットに追加することを含む。
【００８３】
具体的には、
一つの例として、前記受信データパケットが前記送信データパケットと同じである場合、受信データパケットのシーケンス番号（ＳＮ）を送信データパケットの識別子として再利用し、
一つの例として、前記第一の中継装置が前記受信データパケットに対して変更操作を再度行って前記送信データパケットを生成する場合、前記送信データに含まれる全ての受信データパケットのシーケンス番号（ＳＮ）を前記送信データパケットに追加する。
【００８４】
さらに、前記第一の受信モジュール１２は、
前記受信装置との直接接続リンクを介して前記データパケット受信状況に対する前記受信装置のフィードバック情報を受信するように構成され、又は、
第二の中継装置を介して前記データパケット受信状況に対する前記受信装置のフィードバック情報を受信するように構成される。
【００８５】
ここで、
一つの例として、前記フィードバック情報は受信装置によって完全に受信された全てのデータパケットの送信装置から第一の中継装置までのリンク上のシーケンス番号（ＳＮ）を少なくとも含み、又は
他の例として、前記フィードバック情報は受信装置によって完全に受信された全てのデータパケットの送信装置から第一の中継装置までのリンク上の連続シーケンス番号の最大値を少なくとも含む。
【００８６】
さらに、他の例として、前記データパケット受信状況に対する前記受信装置のフィードバック情報は前記送信装置から送信された問い合わせリクエストに応じて前記受信装置によって前記送信装置にフィードバックされ、又は、
他の例として、前記データパケット受信状況に対する前記受信装置のフィードバック情報は所定周期に従って前記受信装置によって前記送信装置に周期的にフィードバックされ、又は、
他の例として、前記データパケット受信状況に対する前記受信装置のフィードバック情報は、前記受信装置によって所定状況に応じて前記送信装置に能動的にフィードバックされる。
【００８７】
さらに、
一つの例として、前記データパケット受信状況に対する前記受信装置のフィードバック情報は、ＲＲＣシグナリングに搬送され、その中、前記フィードバック情報が論理チャネルとデータ受信状況を含み、又は、
一つの例として、前記データパケット受信状況に対する前記受信装置のフィードバック情報は対応する論理チャネルデータのＭＡＣ  ＣＥに搬送され、又は、
一つの例として、前記データパケット受信状況に対する前記受信装置のフィードバック情報は対応する論理チャネルデータのＲＬＣ制御シーケンスに搬送され、又は、
一つの例として、前記データパケット受信状況に対する前記受信装置のフィードバック情報は対応する論理チャネルデータのＰＤＣＰ  ＳＮ状態関連情報に搬送される。
【００８８】
さらに、他の例として、
前記データパケット受信状況に対する前記受信装置のフィードバック情報はＭＡＣ／ＲＬＣ／ＰＤＣＰに搬送されると、対応する層の制御ドメインにおいて対応する伝送経路を示す。
【００８９】
さらに、他の例において、前記第一の送信モジュール１１は、
一つの例として、前記受信装置との直接接続リンクを介して残りのデータパケットを前記受信側装置に送信するように構成され、又は、
他の例として、第二の中継装置を介して残りのデータパケットを前記受信側装置に送信するように構成される。
【００９０】
さらに、他の例として、前記第一の送信モジュール１１は、
前記送信データパケット受信状況に対する前記受信装置のフィードバック情報に基づき、対応するデータパケット識別子に対応する次のデータパケットに基づいて次回の送信を行うように構成される。
【００９１】
説明すべきものとして、上記のデータ伝送方法の実施例に対する説明は該実施例の送信装置にも適用され、その実現原理と技術効果は同様であるので、ここでは説明を省略する。
【００９２】
上記実施例を実現するために、本出願はさらに受信装置を提供する。
【００９３】
図１０は本出願の一つの実施例による受信装置の構造ブロック図である。
【００９４】
図１０に示すように、該受信装置は、
第一の中継装置を介して送信装置から送信されたデータパケットを受信するように構成される第二の受信モジュール２１と、
所定条件で、他の通信リンクを介して前記送信装置へ前記データパケット受信状況に対するフィードバック情報を送信するように構成される第二の送信モジュール２２とを備える。
【００９５】
さらに、他の例として、前記第二の受信モジュール２１はさらに、
他の通信リンクを介して前記送信装置から送信された残りのデータパケットを受信するように構成される。
【００９６】
さらに、前記第二の送信モジュール２２は、
一つの例として、前記送信装置から送信された問い合わせリクエストに応じて、他の通信リンクを介して前記送信装置へ前記データパケット受信状況に対するフィードバック情報を送信するように構成され、又は、
一つの例として、所定周期に従って、他の通信リンクを介して前記送信装置へ前記データパケット受信状況に対するフィードバック情報を周期的に送信するように構成され、又は、
一つの例として、所定状況に従って、能動的に他の通信リンクを介して前記送信装置へ前記データパケット受信状況に対するフィードバック情報を送信するように構成される。
【００９７】
さらに、前記第二の送信モジュール２２は、
一つの例として、前記送信装置との直接リンクを介して前記送信装置へ前記データパケット受信状況に対するフィードバック情報を送信するように構成され、又は、
一つの例として、第二の中継装置を介して前記送信装置へ前記データパケット受信状況に対するフィードバック情報を送信するように構成される。
【００９８】
さらに、前記第二の受信モジュール２１は、
一つの例として、前記送信装置との直接リンクを介して前記送信装置から送信された残りのデータパケットを受信するように構成され、又は、
一つの例として、第二の中継装置を介して前記送信装置から送信された残りのデータパケットを受信するように構成される。
【００９９】
説明すべきものとして、上記のデータ伝送方法の実施例に対する説明は該実施例の受信装置にも適用され、その実現原理と技術効果は同様であるので、ここでは説明を省略する。
【０１００】
上記実施例を実現するために、本出願はさらにデータ伝送システムを提供する。
【０１０１】
図１１は本出願の一つの実施例によるデータ伝送システムの構造ブロック図である。
【０１０２】
図１１に示すように、該データ伝送システムは、送信装置１００、受信装置２００、及び前記送信装置１００から前記受信装置２００へデータパケットを送信するための第一の中継装置３００を備え、その中、送信装置１００と受信装置２００が本発明の上記の実施例による送信装置と受信装置を使用することができ、第一の中継装置３００が本発明の上記の実施例による第一の中継装置を使用することができる。
【０１０３】
図１２は本出願の他の実施例によるデータ伝送システムの構造ブロック図である。
【０１０４】
図１２に示すように、図１１に基づき、該データ伝送システムはさらに前記送信装置１００から前記受信装置２００へデータパケットを送信するための第二の中継装置５００を備え、その中、第二の中継装置５００が本発明の上記実施例に関する第二の中継装置を使用することができる。
【０１０５】
説明すべきものとして、上記のデータ伝送方法の実施例に対する説明は該実施例のデータ伝送システムにも適用され、その実現原理と技術効果は同様であるので、ここでは説明を省略する。
【０１０６】
本明細書の説明では、基準用語「一つの実施例」、「いくつかの実施例」、「例」、「具体的な例」、又は「いくつかの例」などの説明は該実施例又は例と組み合わせて説明された具体的な特徴、構造、材料又は特徴が本出願の少なくとも一つの実施例又は例に含まれることを意味する。本明細書では、上記用語に対する概略的な記述は必ずしも同じ実施形態又は例に向けられていない。且つ、記述される具体的な特徴、構造、材料又は特徴はいずれか一つ又は複数の実施例又は例において適切な方式で結合されてもよい。また、相互に矛盾していない場合、当業者は本明細書で説明された異なる実施例又は例及び異なる実施例又は例示的な特徴を結合及び組み合わせることができる。
【０１０７】
また、用語「第一」、「第二」は目的を説明するためのものに過ぎず、相対的な重要性を明示又は暗示し、又は明示された技術的特徴の数を示すものとしては理解されない。これにより、「第一」、「第二」の特徴は少なくとも一つの該特徴を明示的又は暗黙的に含むと限定される。本出願の説明では、明示特に限定されない限り、「複数」の意味が少なくとも２つ、例えば２つ、３つなどを意味している。
【図１】
2019521540.tif 000003
【図２】
2019521540.tif 000004
【図３】
2019521540.tif 000005
【図４】
2019521540.tif 000006
【図５】
2019521540.tif 000007
【図６】
2019521540.tif 000008
【図７】
2019521540.tif 000009
【図８】
2019521540.tif 000010
【図９】
2019521540.tif 000011
【図１０】
2019521540.tif 000012
【図１１】
2019521540.tif 000013
【図１２】
2019521540.tif 000014
【手続補正書】
【提出日】平成30年11月28日(2018.11.28)
【手続補正１】
【補正対象書類名】特許請求の範囲
【補正対象項目名】全文
【補正方法】変更
【補正の内容】
【特許請求の範囲】
【請求項１】
データ伝送方法であって、
送信装置が第一の中継装置を介して受信装置へデータパケットを送信することと、
前記送信装置が所定条件で、他の通信リンクを介して前記データパケット受信状況に対する前記受信装置のフィードバック情報を受信することとを含む、データ伝送方法。
【請求項２】
前記所定条件は、
前記送信装置と前記第一の中継装置の間の中継リンクが故障すること、又は
前記送信装置と前記第一の中継装置の間の中継リンクが輻輳することを含むことを特徴とする
請求項１に記載の方法。
【請求項３】
前記送信装置が前記受信装置との直接接続リンクを介して残りのデータパケットを前記受信装置に送信すること、又は、
前記送信装置が第二の中継装置を介して残りのデータパケットを前記受信側装置に送信することを含むことを特徴とする
請求項１又は２に記載の方法。
【請求項４】
前記送信装置が第一の中継装置を介して受信装置へデータパケットを送信することは、  前記第一の中継装置が前記送信装置から受信された受信データパケット識別子を、対応する前記受信装置に送信されるデータパケットに追加することを含むことを特徴とする
請求項１乃至３のいずれか一項に記載の方法。
【請求項５】
識別子を前記送信データパケットに追加することは、
受信データパケットのシーケンス番号（ＳＮ）を送信データパケットの識別子として再利用すること、又は、
送信データパケットに含まれる全ての受信データパケットのシーケンス番号（ＳＮ）を前記送信データパケットに追加することを含むことを特徴とする
請求項４に記載の方法。
【請求項６】
前記受信データパケットが前記送信データパケットと同じである場合、受信データパケットのシーケンス番号ＳＮを送信データパケットの識別子として再利用し、
前記第一の中継装置が前記受信データパケットに対して変更操作を再度行って前記送信データパケットを生成する場合、前記送信データに含まれる受信データパケットのシーケンス番号ＳＮを前記送信データパケットに追加することを特徴とする
請求項４又は５に記載の方法。
【請求項７】
他の通信リンクを介して前記データパケット受信状況に対する前記受信装置のフィードバック情報を受信することは、
前記送信装置が前記受信装置との直接リンクを介して前記データパケット受信状況に対する前記受信装置のフィードバック情報を受信すること、又は、
前記送信装置が第二の中継装置を介して前記データパケット受信状況に対する前記受信装置のフィードバック情報を受信することを含むことを特徴とする
請求項１乃至６のいずれか一項に記載の方法。
【請求項８】
前記フィードバック情報は、
受信装置によって完全に受信された全てのデータパケットの送信装置から第一の中継装置までのリンク上のシーケンス番号（ＳＮ）を少なくとも含み、又は
受信装置によって完全に受信された全てのデータパケットの送信装置から第一の中継装置までのリンク上の連続シーケンス番号の最大値を少なくとも含むことを特徴とする
請求項１乃至７に記載の方法。
【請求項９】
前記データパケット受信状況に対する前記受信装置のフィードバック情報は、
前記データパケット受信状況に対する前記受信装置のフィードバック情報が、前記送信装置から送信されたリクエストに応じて前記受信装置によって前記送信装置にフィードバックされること、又は、
前記データパケット受信状況に対する前記受信装置のフィードバック情報が、所定周期に従って前記受信装置によって前記送信装置に周期的にフィードバックされること、又は、
前記データパケット受信状況に対する前記受信装置のフィードバック情報が、所定状況に応じて前記受信装置によって前記送信装置にフィードバックされることを含むことを特徴とする
請求項１乃至８のいずれか一項に記載の方法。
【請求項１０】
前記データパケット受信状況に対する前記受信装置のフィードバック情報は、ＲＲＣシグナリングに搬送され、その中、前記フィードバック情報が論理チャネルとデータ受信状況を含み、又は、
前記データパケット受信状況に対する前記受信装置のフィードバック情報は、対応する論理チャネルデータのＭＡＣ  ＣＥに搬送され、又は、
前記データパケット受信状況に対する前記受信装置のフィードバック情報は、対応する論理チャネルデータのＲＬＣ制御シーケンスに搬送され、又は、
前記データパケット受信状況に対する前記受信装置のフィードバック情報は、対応する論理チャネルデータのＰＤＣＰ  ＳＮ状態関連情報に搬送されることを特徴とする
請求項１乃至９のいずれか一項に記載の方法。
【請求項１１】
前記データパケット受信状況に対する前記受信装置のフィードバック情報はＭＡＣ／ＲＬＣ／ＰＤＣＰに搬送されると、対応する層の制御ドメインにおいて対応する伝送経路を示すことを特徴とする
請求項１乃至１０のいずれか一項に記載の方法。
【請求項１２】
前記送信装置は前記送信データパケット受信状況に対する前記受信装置のフィードバック情報に基づき、対応するデータパケット識別子に対応する次のデータパケットに基づいて次回の送信を行うことを特徴とする
請求項１乃至１１のいずれか一項に記載の方法。
【請求項１３】
データ伝送方法であって、
受信装置が第一の中継装置を介して送信装置から送信されたデータパケットを受信することと、
前記受信装置が所定条件で、他の通信リンクを介して前記送信装置へ前記データパケット受信状況に対するフィードバック情報を送信することとを含む、データ伝送方法。
【請求項１４】
前記受信装置が他の通信リンクを介して前記送信装置から送信された残りのデータパケットを受信することをさらに含むことを特徴とする
請求項１３に記載の方法。
【請求項１５】
前記受信装置が所定条件で、他の通信リンクを介して前記送信装置へ前記データパケット受信状況に対するフィードバック情報を送信することは、
前記受信装置が前記送信装置から送信されたリクエストに応じて、他の通信リンクを介して前記送信装置へ前記データパケット受信状況に対するフィードバック情報を送信すること、又は、
前記受信装置が所定周期に従って、他の通信リンクを介して前記送信装置へ前記データパケット受信状況に対するフィードバック情報を周期的に送信すること、又は、
前記受信装置が所定状況に応じて、他の通信リンクを介して前記送信装置へ前記データパケット受信状況に対するフィードバック情報を周期的に送信することを含むことを特徴とする
請求項１３又は１４に記載の方法。
【国際調査報告】
2019521540.tif 000015
2019521540.tif 000016
2019521540.tif 000017
2019521540.tif 000018